(57)【要約】【課題】臨時に冷房を必要とする施設に容易に導入することができるようにする。【解決手段】施設の内部に収容されて使用される一の筐体２０と、筐体２０の上部に設けられ、熱を放散する熱放散部２２と、筐体２０の前部に設けられ、冷風を吹き出す冷風吹出口２４と、筐体２０の内部に設けられ、冷媒を循環させ、熱放散部２２から熱を放散させつつ、冷風吹出口２４から冷風を吹き出させる冷却サイクル機構と、筐体２０の下部に設けられたキャスター２８とを有する。【選択図】図２
2009127956.tif 000002
【特許請求の範囲】
【請求項１】
施設の内部に収容されて使用される一の筐体と、
前記筐体の上部に設けられ、熱を放散する熱放散部と、
前記筐体の前部に設けられ、冷風を吹き出す冷風吹出口と、
前記筐体の内部に設けられ、冷媒を循環させ、前記熱放散部から熱を放散させつつ、前記冷風吹出口から冷風を吹き出させる冷却サイクル機構と
を有する、冷房装置。
【請求項２】
請求項１に記載の冷房装置であって、さらに、
前記筐体の下部に設けられたキャスター
を有する、冷房装置。
【発明の詳細な説明】
【技術分野】
【０００１】
本発明は、冷房装置（空調装置）に関するものである。
【背景技術】
【０００２】
地震等の災害が発生し、自宅（家屋）が半壊又は全壊等した場合には、被災者は、一般的に、体育館等の公的な施設等の避難場所に避難する。そして、その被災者は、自宅の修繕がされたり、仮設家屋が提供されたりするまでの少なくともしばらくの間、臨時として、その避難場所に滞在することとなる。
その際、夏季等において、冷房装置が整備されていない施設に避難した場合においては、暑さ対策が問題となっている。
また、災害時のみならず、夏季等において、臨時のイベント等のために、冷房装置が整備されていない施設を使用する場合においても、やはり暑さ対策が問題となっている。
【０００３】
ところで、一般的に、冷房装置（空調装置）は、屋内機と屋外機とを有し、両者はダクトによって接続されている。
しかしながら、上述のように臨時に冷房装置が必要になった場合において、そのダクトの配管工事は非常に煩雑であり、事実上、冷房装置を導入することができない場合が多い。
【発明の開示】
【発明が解決しようとする課題】
【０００４】
本発明は、臨時に冷房を必要とする施設に容易に導入することができる冷房装置を提供することを課題とする。
【課題を解決するための手段】
【０００５】
上記の課題を解決するために、請求項１に係る発明は、施設の内部に収容されて使用される一の筐体と、前記筐体の上部に設けられ、熱を放散する熱放散部と、前記筐体の前部に設けられ、冷風を吹き出す冷風吹出口と、前記筐体の内部に設けられ、冷媒を循環させ、前記熱放散部から熱を放散させつつ、前記冷風吹出口から冷風を吹き出させる冷却サイクル機構とを有する、冷房装置である。
【０００６】
「施設の内部に収容されて使用される一の筐体と」とは、この冷房装置が一の筐体を有し、その筐体全体が施設の内部に収容されて使用される、ということである。
【０００７】
この発明の冷房装置においては、冷却サイクル機構の作動によって、冷媒が循環し、熱放散部から熱が放散されつつ、冷風吹出口から冷風が吹き出す。このため、特に天井の高い施設内において、高温の空気が上方に上るとともに、この冷房装置に近い高さ位置に位置する人間が、涼しく感じることが可能となる。
そして、この発明の冷房装置では、冷却サイクル機構は、一の筐体の内部に設けられ、熱放散部／冷風吹出口は、その筐体の上部／前部に設けられている。
このことから、この発明の冷房装置では、施設に導入される際に、配管工事が不要である。このことから、特に、施設内に臨時的に導入するのに好適である。
【０００８】
請求項２に係る発明は、請求項１に係る発明の冷房装置であって、さらに、前記筐体の下部に設けられたキャスターを有する、冷房装置である。
【０００９】
この発明の冷房装置は、キャスターを有しているため、請求項１に係る冷房装置の作用効果に加えて、さらに容易に施設内に導入することができる。
【発明を実施するための最良の形態】
【００１０】
次に、本発明の一実施形態について図面に基づいて説明する。
図１及び図２に示すように、この冷房装置（空調装置）１０は、一の筐体２０を有している。筐体２０は、縦長の直方体状をしている。
筐体２０の内部には、次のように、冷媒を循環させ、冷房を行う冷却サイクル機構が内蔵されている。
図２に示すように、その冷却サイクル機構は、圧縮機３１，凝縮器３２，膨張弁３３，蒸発器３４を有している。そして、気体状の冷媒は圧縮機３１によって圧縮され高温高圧とされ、その高温高圧の気体状の冷媒が凝縮器３２において放熱して液体になる。その液体状の冷媒は、膨張弁３３によって減圧され、沸点が下がる。そして、その低圧状態の液体状の冷媒が蒸発器３４において蒸発し、周囲の熱を奪う。蒸発器３４にはファン３６が伴っている。凝縮器３２にもファン３５が伴っている。
【００１１】
筐体２０の前部には、冷風吹出口２４が設けられ、筐体２０の上部には、熱放散部２２が設けられている。冷風吹出口２４は、蒸発器３４及びファン３６に対応している。熱放散部２２は、凝縮器３２及びファン３５に対応している。
蒸発器３４によって冷却された空気が、ファン３５の作動によって、冷風吹出口２４から吹き出される。
凝縮器３２から放熱されて高温となった空気が、ファン３５の作動によって、熱放散部２２から流出する。
【００１２】
また、筐体２０の内部には、タンク３８が設けられている。タンク３８は、上述の冷却サイクルにおいて生じた結露による水を貯めるものである。筐体２０には、タンク３８を出し入れするための扉２６（図１）が設けられている。
筐体２０の下部には４つ（又はそれ以上）のキャスター２８が設けられている。
【００１３】
次に、この冷房装置１０の使用方法及び作用効果について説明する。
図３に示すように、この冷房装置１０は、特に、体育館等、臨時に冷房が必要となった施設に好適に使用される。それも、天井が十分に高い施設に好適に使用される。
この冷房装置１０は、施設内の壁際に設置される。その壁の上方に窓Ｗがあることが好ましく、窓Ｗがある場合には、その窓Ｗを開けておく。
【００１４】
この冷房装置１０では、冷却サイクル機構の作動によって、熱放散部２２から熱（高温の空気）が放散されつつ、冷風吹出口２４から冷風が吹き出される。
その冷風によって、その施設内の人たち（床に立っていたり、座っていたり、床に設置された椅子に座っていたりと、高さ的に床の近傍にいる人たち）は、涼しく感じる。
一方、高温の空気は、熱放散部２２から放散され、高温の空気は常温等の空気よりも質量密度が小さいことから、上方に上っていく。
こうして、特に天井の高い施設において、上方が高温で、下方（床の近傍）が低温の状態となる。
また、壁の上方に窓Ｗがある場合は、その開けられた窓Ｗを通して、その施設から、高温の空気が抜け出ていく。
【００１５】
以上のように、この冷房装置１０では、一の筐体２０の中に冷却サイクル機構のすべてが収容されているため、屋内機と屋外機とをダクトによって接続する配管工事が不要であり、特に臨時に冷房を必要とする施設に対して、容易に導入することができる。
さらに、この冷房装置１０が、下部にキャスター２８を有しているために、その導入がより容易となる。
【００１６】
なお、上記のものはあくまで本発明の一実施形態にすぎず、当業者の知識に基づいて種々の変更を加えた態様で本発明を実施できることはもちろんである。
例えば、冷却サイクル機構は、上述のものに限らず、他のものであってもよい。
【図面の簡単な説明】
【００１７】
【図１】本発明の一実施形態の冷房装置を示す斜視図である。
【図２】本発明の一実施形態の冷房装置を示す縦断面図である。一部、模式的に示されている。
【図３】本発明の一実施形態の冷房装置の使用状態を示す図である。
【符号の説明】
【００１８】
１０  冷房装置
２０  筐体
２２  熱放散部
２４  冷風吹出口
２８  キャスター
【図１】
2009127956.tif 000003
【図２】
2009127956.tif 000004
【図３】
2009127956.tif 000005